(57)【要約】【課題】毛髪に、容易且つ確実に綺麗なカールを付与することのできる毛髪保持具を提供する。【解決手段】一端の開口部２１から他端の開口部２２に向けて毛髪束３を挿通可能に、シート２３Ａ、２３Ｂにより構成された扁平形状の筒状体２からなり、該筒状体２の一方の面を形成するシート２３Ａに、該筒状体２の短手方向に長い形状の複数個の空隙部２５が、該筒状体２の長手方向に離間して直列に形成されており、該筒状体２は、その長手方向に実質的に伸縮性を有していない。【選択図】　　図１
2004057256.tif 000002
【特許請求の範囲】
【請求項１】
一端の開口部から他端の開口部に向けて毛髪束を挿通可能に、シートにより構成された扁平形状の筒状体からなり、該筒状体の一方の面を形成するシートに、該筒状体の短手方向に長い形状の複数個の空隙部が、該筒状体の長手方向に離間して直列に形成されており、該筒状体は、その長手方向に実質的に伸縮性を有していない毛髪保持具。
【請求項２】
前記空隙部が、前記筒状体の短手方向に長い形状で、一方の面を形成する前記シートの短手方向の長さの２／３以上に亘っており、該空隙部間の各間隔が２〜５０ｍｍである請求項１記載の毛髪保持具。
【請求項３】
前記空隙部の形状が、楕円状、矩形状、線形状、又はスリット形状である請求項１又は２記載の毛髪保持具。
【請求項４】
前記筒状体の他方の面を形成するシートのテーバーこわさが、０．４ｍＮ・ｍ以上である請求項１〜３の何れかに記載の毛髪保持具。
【請求項５】
前記空隙部に、テーバーこわさ０．４ｍＮ・ｍ以下のシートが張設されている請求項１〜４の何れかに記載の毛髪保持具。
【請求項６】
前記筒状体は、２枚の矩形状のシートを、その長手方向に沿う側端部同士を接合させて形成されており、一方の前記シートに前記空隙部が形成されている請求項１〜５の何れかに記載の毛髪保持具。
【請求項７】
前記筒状体に、その長手方向に向けて塑性変形部材が取り付けられている請求項１〜６の何れかに記載の毛髪保持具。
【請求項８】
前記塑性変形部材が、前記筒状体に対し、相互に可動自在になされている請求項７記載の毛髪保持具。
【請求項９】
前記筒状体の長手方向の両側端部に、間歇的に凹部が形成されている請求項１〜８の何れかに記載の毛髪保持具。
【請求項１０】
一端の開口部から他端の開口部に向けて毛髪束を挿通可能に、一方の面がテーバーこわさ０．４ｍＮ・ｍ以下のシートにより構成された扁平形状の筒状体からなり、該筒状体の該一方の面を形成するシートに、該筒状体の短手方向に長い形状の複数個の貼り付け片が、該筒状体の長手方向に離間して直列に貼り付けてあり、該筒状体は、その長手方向に実質的に伸縮性を有していない毛髪保持具。
【発明の詳細な説明】
【０００１】
【発明の属する技術分野】
本発明は、パーマ等により毛髪にカールを付与する場合に、毛髪束を所定の形状に巻回するときの補助具として用いられる毛髪保持具に関する。
【０００２】
【従来の技術及び発明が解決しようとする課題】
シートを利用して毛髪にくせ付けする方法として、例えば実公昭１１−１４５４６号公報等に記載の手段が古くから知られているが、このような手段は毛髪の取り扱いが困難であった。そこで、毛髪をより取り扱いやすく、またくせ付けのハンドリングも容易に行えるようにした毛髪巻取り技術として、特開平１０−１９２０３６号公報には、筒状にした毛髪巻取り具及び毛髪巻取り方法が提案されている。このような筒状毛髪巻取り具によれば、毛髪束が格段に取り扱いやすくなり非常に大きなメリットがある。
しかし、毛髪巻取り具を筒状に形成した場合、変形により内側と外側のシートに必然的に歪みが生じてしまう。この歪みは筒状の毛髪保持具に挿入する毛髪束が増えるほど、また毛髪に曲率の大きなウェーブを付けようとするほど顕著になる。また、歪みを解消しない状態でくせ付けをを行うと綺麗な円形なウェーブにならず、不均一な多角形のウエーブが形成されてしまう。
【０００３】
国際公開公報　００／５７７４４には、パーマ等により毛髪にカールを付与する場合の補助具として、網状シートからなり、長手方向及び短手方向に伸縮性を有する筒状の毛髪処理装置が記載されている。
この毛髪処理装置によれば、その筒状部を長手方向に縮小し短手方向に伸張してから、筒状部の中に毛髪束を挿通し、筒状部を伸張させた後、筒状部を毛髪束と共に複数箇所ねじったりしてから、その状態を所定時間維持する等して、毛髪束にカールを付与することができる。
しかし、この毛髪処理装置を用いた場合、筒状部に毛髪束を挿通する際又は挿通した後に、筒状部が収縮すると毛先がいわゆる逆毛になったり、毛先に不規則なくせが付いたりして、毛髪束に綺麗なカールを付与できないという問題点がある。
【０００４】
従って、本発明の目的は、毛髪に、容易且つ確実に綺麗なカールを付与することのできる毛髪保持具を提供することにある。
【０００５】
【課題を解決するための手段】
本発明は、一端の開口部から他端の開口部に向けて毛髪束を挿通可能に、シートにより構成された扁平形状の筒状体からなり、該筒状体の一方の面を形成するシートに、該筒状体の短手方向に長い形状の複数個の空隙部が、該筒状体の長手方向に離間して直列に形成されており、該筒状体は、その長手方向に実質的に伸縮性を有していない毛髪保持具（以下、第１発明という）を提供することにより、上記目的を達成したものである。
【０００６】
また、本発明は、一端の開口部から他端の開口部に向けて毛髪束を挿通可能に、一方の面がテーバーこわさ０．４ｍＮ・ｍ以下のシートにより構成された扁平形状の筒状体からなり、該筒状体の該一方の面を形成するシートに、該筒状体の短手方向に長い形状の複数個の貼り付け片が、該筒状体の長手方向に離間して直列に貼り付けてあり、該筒状体は、その長手方向に実質的に伸縮性を有していない毛髪保持具（以下、第２発明という）を提供することにより、上記目的を達成したものである。
【０００７】
【発明の実施の形態】
以下、第１発明の毛髪保持具を、その好ましい一実施形態である第１実施形態について、図１及び図２を参照して説明する。
第１実施形態の毛髪保持具１は、図１及び図２に示すように、一端の開口部２１から他端の開口部２２に向けて毛髪束３を挿通可能に、シート２３Ａ、２３Ｂにより構成された扁平形状の筒状体２からなり、該筒状体２の一方の面を形成するシート２３Ａに、該筒状体２の短手方向（図１における左右方向）に長い形状の複数個（５個）の空隙部２５が、該筒状体２の長手方向（図１における上下方向）に離間して直列に形成されており、該筒状体２は、その長手方向に実質的に伸縮性を有していない。
【０００８】
第１実施形態の毛髪保持具１について以下に詳述する。
前記筒状体２は、２枚の矩形状のシート２３Ａ、２３Ｂを、その長手方向に沿う側端部２４、２４同士を接合させて形成されており、一方の前記シート２３Ａに楕円状の５個の前記空隙部２５が形成されている。
筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
前記空隙部２５は、前記シート２３Ａの短手方向の長さＬ（図３参照）の２／３以上、本実施形態では、該長さＬの８０〜９０％に亘っている。空隙部２５は、シート全体に均一に分散して配置していることが好ましく、本実施形態では、空隙部２５間の各間隔Ｐ（図３参照）は２〜５０ｍｍである。
【０００９】
前記筒状体２は、その長手方向に実質的に伸縮性を有しておらず、筒状体２が長手方向に伸縮性を有していると、筒状部２に毛髪束３を挿通する際又は挿通状態において、いわゆる逆毛になったり、毛先に不規則なくせが付き易い。
【００１０】
第１実施形態の毛髪保持具１においては、前記筒状体２における前記空隙部２５が形成されたシート２３Ａのテーバーこわさは、０．４〜１０ｍＮ・ｍであることが好ましい。また、前記筒状体２の他方の面（空隙部が形成されていない）のシート２３Ｂは、テーバーこわさが０．４ｍＮ・ｍ以上の硬いものでも、テーバーこわさが０．４ｍＮ・ｍ以下で柔らかさの程度の高いもので構わないが、少し硬いもの、詳細にはテーバーこわさが０．４〜５．０ｍＮ・ｍであるものが好ましい。また、両面のシート２３Ａ及び２３Ｂのテーバーこわさが同一であるときは、シートのテーバーこわさは、０．４〜１０ｍＮ・ｍであることが好ましい。
【００１１】
また、空隙部を形成する方法としては、一方のシートを切り抜いて所望の空隙部を形成しても良い。筒状体の短手方向に長い任意の形状の複数個の貼り付け片を一方のシートに貼り付けても良い。
また、両面のシート２３Ａ及び２３Ｂのテーバーこわさが何れも０．４ｍＮ・ｍ以下である筒状体２からなる毛髪保持具１においては、筒状体２に中芯（例えば、後述の塑性変形部材）が取付けられているものの方が毛髪束を綺麗に巻回することができる。両面のシートのテーバーこわさがそれぞれ１．０〜５．０ｍＮ・ｍのものであると、中芯が取付けられていなくても問題なく、筒状体を手で容易に変形することができる。また、ある程度の硬さのテーバーこわさを有している筒状体の方が、筒状体に挿通した毛髪束がズレ難いという副次的な効果がある。
前記「テーバーこわさ」は、ＪＩＳ　Ｐ８１２５に規定される「こわさ試験方法」により測定されるテーパーこわさである。
【００１２】
筒状体２を構成するシート２３Ａ，２３Ｂとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。本実施形態においては、パーマ用の毛髪処理剤に対して透過性を有する不織布が用いられている。
シート２３の厚みは、シートのテーバーこわさの高低によって異なるが、好ましくは３０μｍ〜５００μｍである。
【００１３】
次に、第１発明の毛髪保持具の第１実施形態の一使用態様として、パーマ処理により毛髪（頭髪）に直接カールを付与する場合について、図２を参照しながら説明する。
先ず、毛髪束３の量や得ようとするカール形状に応じて、適当な長さ及び幅を有する筒状体２からなる毛髪保持具１を用い、図２（ａ）に示すように、筒状体２の一端の開口部２１を楕円形状に開口して、該開口部２１から毛髪束３を挿入する。そして、図２（ｂ）に示すように、毛髪束３を、その先端が筒状体２の他端の開口部２２から少しはみ出るまで、筒状体２に挿通させる。
毛髪束３を筒状体２に挿通させた後、図２（ｃ）及び（ｄ）に示すように、毛髪保持具１を筒状体２の他端の開口部２２の側から、所望の巻回径で巻回し、クリップ（図示せず）等の周知の固定手段を用いて毛髪束３の巻回状態を保持する。その後、筒状体２の外側からパーマ用の毛髪処理剤を毛髪束３に付与する。毛髪処理剤は、該毛髪処理剤に対して透過性を有するシート２３を介して又は空隙部２５を介して、毛髪束３に付与される。所定時間後、筒状体２から毛髪束３を挿脱し、洗髪等して、パーマ処理を完了する。
【００１４】
第１実施形態の毛髪保持具１を用いて毛髪束３を巻回する場合、空隙部２５を内側・外側のどちら側にして巻回してもよいが、図２に示すように、空隙部２５の形成されているシート２３Ａを外側に巻回した方が、目的とする綺麗なカールを得る上で好ましい。
また、筒状体２の開口部２１から毛髪束３を挿入させる際に、必要に応じ、該開口部２１を真円状に開口した方が、毛髪束３をスムーズに挿入させ易い。また、必ずしも、毛髪束３の先端を筒状体２の他端の開口部２２からはみ出させる必要はない。
【００１５】
第１実施形態の毛髪保持具１は、一方の面を形成するシート２３Ａに複数個の空隙部２５が長手方向に離間して直列に形成されており、筒状体２がその長手方向に実質的に伸縮性を有しておらず、また、テーバーこわさが１．０〜５．０ｍＮ・ｍのシートにより形成されているため、本実施形態の毛髪保持具１の筒状体２に毛髪束３を挿入したときに、毛髪束３を抑え付けるような力が働き、毛髪束３が抜け難く、毛髪保持具１のズレ落ちや位置ズレの発生が少ない。また、毛髪束３を巻回するときに、空隙部２５で筒状部２がスムーズに屈曲し得るため、毛髪束３を挿通した筒状体２を円滑に且つ綺麗な円弧状に巻回することができ、また、筒状体２に毛髪束３を挿通する際又は挿通状態において筒状体２が伸長せず、逆毛や毛先の不規則なくせが生じ難い。しかも、筒状体２は中芯がなくても適度な硬さを有している。そのため、本実施形態の毛髪保持具１によれば、毛髪に、容易且つ確実に綺麗なカールを付与することができる。
【００１６】
次に、第１発明の毛髪保持具の他の実施形態である第２〜第８実施形態について説明する。これらの実施形態については、第１実施形態と異なる点についてのみ説明し、特に説明しない点については、第１実施形態に関する説明が適宜適用される。そして、他の実施形態の毛髪保持具においても、第１実施形態の毛髪保持具と同様に、毛髪に、容易且つ確実に綺麗なカールを付与することができる。
【００１７】
第２実施形態の毛髪保持具１においては、筒状体２は、図３に示すように、１枚の矩形状のシート２３（２３Ａ，２３Ｂ）を、その長手方向に中心線２７に沿って二つ折りし、その長手方向に沿う側端部２８，２８同士を接合させて形成されている。これ以外の構成は、前記第１実施形態の毛髪保持具と同様の構成である。
【００１８】
第３実施形態の毛髪保持具１においては、図４（ａ）に示すように、シート２３Ａに６個の矩形状の空隙部２５が形成されている。これ以外の構成は、前記第１実施形態の毛髪保持具と同様の構成である。
第４実施形態の毛髪保持具１においては、図４（ｂ）に示すように、シート２３Ａに７個の線形状の空隙部２５が形成されている。これ以外の構成は、前記第１実施形態の毛髪保持具と同様の構成である。
第４実施形態のように、線形状の空隙部が形成されている筒状体からなる毛髪保持具において、該空隙部がピッチを変えて形成されているものによれば、毛髪束に、部分的に巻径が大きくなったり小さくなったりする、滑らかな円弧形状のウエーブを付与することができる。
【００１９】−２
第５実施形態の毛髪保持具１は、図４（ｃ）に示すように、筒状体２の一方の面を形成するシート２３Ａに、該筒状体２の短手方向に長い線形状の７個の空隙部２５Ａが、該筒状体２の長手方向に離間して直列に形成されている。また、筒状体２の他方の面を形成するシート２３Ｂにも、該筒状体２の短手方向に長い線形状の６個の空隙部２５Ｂが、該筒状体２の長手方向に離間して直列に形成されている。前記空隙部２５Ａと前記空隙部２５Ｂとは、筒状体２の長手方向に互い違いに配置されている。
第５実施形態のように、筒状体の両面のシートにそれぞれ空隙部が該筒状体２の長手方向に互い違いに形成されている毛髪保持具によれば、くせ付けのための変形によりシートに発生する歪みをそれぞれ両面のシートで解消できるため、より少ない空隙部で筒状体をきれいな円形に巻回することができる。
【００２０】
第６実施形態の毛髪保持具１は、図５（ａ）に示すように、筒状体２の一方の面を形成するシート２３Ａに、線形状の５個の空隙部２５が、該筒状体２の長手方向に対して斜行して且つ該筒状体２の長手方向に離間して直列に形成されている。
第６実施形態のように、斜行した線形状の空隙部が形成されている筒状体からなる毛髪保持具によれば、毛髪束にスパイラル状のウエーブを付与することができる。
【００２１】−２
第７実施形態の毛髪保持具１は、図５（ｂ）に示すように、第１実施形態の毛髪保持具１における空隙部２５に、テーバーこわさ０．４ｍＮ・ｍ以下のシートとして、網目状のシート（張設シート）２６が張設されている。
第７実施形態のように、空隙部２５にテーバーこわさ０．４ｍＮ・ｍ以下の張設シート２６が張設されている毛髪保持具によれば、空隙部２５からの毛先の飛出しを防止しつつ、筒状体２の巻回し易さも確保できる。
【００２２】
第８実施形態の毛髪保持具１は、図６（ａ）に示すように、第１実施形態の毛髪保持具１における筒状体２の長手方向の両側端部２４に、間歇的に凹部２４ａが形成されている。凹部２４ａの先端部（底部）は、図６（ａ）に示す形態では尖っているが、対向する一対の凹部２４ａ，２４ａ間に輪ゴム等を掛止できれば尖っていなくてもよい。
第８実施形態のように、筒状体２の長手方向の両側端部２４に、間歇的に凹部２４ａが形成されている毛髪保持具によれば、毛髪束を巻回した後、図６（ｂ）に示すように、筒状体２の凹部２４ａに輪ゴム６を掛止すれば、巻回状態を容易に維持することができる。
【００２３】
次に、第２発明の毛髪保持具を、その好ましい一実施形態である第９及び第１０実施形態について、図７（ａ）及び図７（ｂ）を参照して説明する。第２発明の毛髪保持具については、第１発明の毛髪保持具と異なる点についてのみ説明し、特に説明しない点については、第１発明に関する説明が適宜適用される。
第９実施形態の毛髪保持具１は、図７（ａ）に示すように、一端の開口部２１’から他端の開口部２２’に向けて毛髪束を挿通可能に、一方の面がテーバーこわさ０．４ｍＮ・ｍ以下のシート２３’Ａにより構成された扁平形状の筒状体２’からなり、該筒状体２’の該一方の面を形成するシート２３’Ａに、該筒状体２の短手方向に長い形状の複数個（８個）の貼り付け片４’が、該筒状体２’の長手方向に離間して直列に貼り付けてあり、該筒状体２’は、その長手方向に実質的に伸縮性を有していない。
【００２４】
前記筒状体２’は、２枚の矩形状のシート２３’Ａ、２３’Ｂを、その長手方向に沿う側端部同士を接合させて形成されている。貼り付け片４’は、矩形で、一方の面を形成するシート２３’Ａの短手方向の長さの略全域に亘っている。
【００２５】
第１０実施形態の毛髪保持具１’においては、筒状体２’は、図７（ｂ）に示すように、テーバーこわさが０．４ｍＮ・ｍ以下の矩形状の編み目状のシートであるシート２３’Ａと、テーバーこわさが０．４ｍＮ・ｍ以上で且つ孔の形成されていない矩形状のシート２３’Ｂとを、その長手方向に沿う側端部同士を接合させて形成されている。網目状のシート２３Ａには、筒状体２の短手方向に長い矩形の７個の貼り付け片４が、該筒状体２の長手方向に離間して直列に貼り付けてある。
その他の構成については、第９実施形態の毛髪保持具と同様である。
【００２６】
第２発明の毛髪保持具においては、筒状体における貼り付け片の貼り付けられていない部分が、第１発明の毛髪保持具における筒状体の空隙部と同様の機能を発揮する。第２発明の毛髪保持具は、第１発明の使用態様と同様の態様で使用することができ、第１発明の毛髪保持具と同様の効果を奏する。
【００２７】
本発明（第１発明及び第２発明）の毛髪保持具は、前述した実施形態に制限されることなく、本発明の趣旨を逸脱しない限り、例えば以下に示すように適宜変更が可能である。
本発明の毛髪保持具においては、前記筒状体に、その長手方向に向けて塑性変形部材が取り付けられた構成とすることができる。また、図８に示すように、他方のシート２３Ｂに、塑性変形部材５を収納し得る形状を有する扁平筒状の収納部２９を設け、塑性変形部材５を該収納部２９の内部を摺動可能に配置し、塑性変形部材５が、筒状体２に対し、相互に可動自在になされた構成とすることもできる。
このように塑性変形部材を設けた構成の毛髪保持具を用いて毛髪束を巻回すると、該塑性変形部材の塑性変形により、筒状体に挿通された毛髪束の復元力を抑制することができる。
【００２８】
本発明の毛髪保持具においては、筒状体は、全体として実質的に伸縮性を有していなければ、筒状体を構成するシートの一部が伸縮性を有していてもよい。筒状体を構成するシートとして、液不透過性のシートを用いることができる。
筒状体は、その一端が開口し且つその他端に閉口可能な手段を設けてあるものでもよい。筒状体は、その形成方法について特に制限はなく、シートを縫合、融着又は接着して形成したものでも、押出成形等により当初から筒状に形成したものでもよい。
本発明の毛髪保持具においては、図４（ｃ）に示す第５実施形態以外の前記実施形態のように、空隙部を筒状体の一方の面のみに設けてもよく、更に、一方の面における空隙部の形状と同一形状又は異なる形状の空隙部を、筒状体の他方の面にも設けることができる。
【００２９】
本発明の前記実施形態のそれぞれ異なる部分を、適宜変更したり組み合わせた形態とすることもできる。
尚、本発明の毛髪保持具における「筒状体」を構成するシート材の形状及びその表面状態は、上述の形態の筒状体を形成可能なものであれば良く、「扁平状」という場合、シート材の表面は、凹凸面であってもよい。
【００３０】
筒状体に空隙部を形成する方法について特に制限はなく、例えば、シートの形成後に切断、打ち抜き等で形成することができる。
空隙部の形状は、第１〜第６実施形態のように、楕円状、矩形状又は線形状に限定されず、筒状体の短手方向に長い形状であれば、例えば、実質上スリットからなるスリット形状でもよい。
【００３１】
また、本発明の毛髪保持具の使用方法は、図２に示す第１実施形態の毛髪保持具の使用態様に限定されない。
毛髪束の巻回の際には、従来と同様に、ロッドを併用してもよい。
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
尚、毛髪に市販の整髪料を付与した後に、前述の方法によってくせ付けしても良い。
【００３２】
【発明の効果】
本発明の毛髪保持具によれば、毛髪に、容易且つ確実に綺麗なカールを付与することができる
【図面の簡単な説明】
【図１】図１は、第１発明の毛髪保持具の第１実施形態を示す斜視図である。
【図２】図２は、第１発明の毛髪保持具の第１実施形態の一使用態様を示す図で、（ａ）、（ｂ）、（ｃ）及び（ｄ）は、それぞれ毛髪束の巻回手順を順次示す斜視図である。
【図３】図３は、第１発明の毛髪保持具の第２実施形態を示す斜視図である。
【図４】図４（ａ）、（ｂ）及び（ｃ）は、それぞれ、第１発明の毛髪保持具の第３実施形態〜第５実施形態を示す斜視図である。
【図５】図５（ａ）及び（ｂ）は、それぞれ、第１発明の毛髪保持具の第６実施形態及び第７実施形態を示す斜視図である。
【図６】図６は、本発明の毛髪保持具の第８実施形態を示す図で、（ａ）は巻回前の状態を示す斜視図、（ｂ）は巻回状態を示す斜視図である。
【図７】図７（ａ）及び（ｂ）は、それぞれ、第２発明の毛髪保持具の第９実施形態及び第１０実施形態を示す斜視図である。
【図８】図８は、本発明の毛髪保持具の他の実施形態を示す模式的断面図である。
【符号の説明】
１　毛髪保持具
２　筒状体
２１、２２　開口部
２３，２３Ａ，２３Ｂ　シート
２４　側縁部
２５　空隙部
２６　シート（張設シート）
２７　中心線
２８　側端部
２９　収納部
３　毛髪束
４’　貼り付け片
５　塑性変形部材
【図１】
2004057256.tif 000003
【図２】
2004057256.tif 000004
【図３】
2004057256.tif 000005
【図４】
2004057256.tif 000006
【図５】
2004057256.tif 000007
【図６】
2004057256.tif 000008
【図７】
2004057256.tif 000009
【図８】
2004057256.tif 000010